【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
通信システムにおけるノードＢがハイブリッド自動再送要求確認応答情報（automatic repeat request-acknowledgement ：ＨＡＲＱ−ＡＣＫ）ビットを受信する方法であって、
ユーザ機器（user equipment：ＵＥ）に対して複数のセルを構成するステップと、
前記ＵＥから物理アップリンク共有チャネル（physical uplink shared channel：ＰＵＳＣＨ）で前記複数のセルに対するエンコーディングされた連接ＨＡＲＱ−ＡＣＫビットを受信するステップと、
前記エンコーディングされた連接ＨＡＲＱ−ＡＣＫビットをデコーディングするステップと、を含み、
前記複数のセルの各々は一つの送信モード に関連し、
前記複数のセルに対するＨＡＲＱ−ＡＣＫビットは、前記複数のセルの各々に対するセルインデックスの順序に基づいて連接され、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする方法。
【請求項２】
前記エンコーディングされた連接ＨＡＲＱ−ＡＣＫビットは、前記連接されたＨＡＲＱ−ＡＣＫビットの個数が３以上である場合、（３２，Ｏ）ブロックコードに基づいてデコーディングされることを特徴とする請求項１に記載の方法。
【請求項３】
相異なるタイプのアップリンク制御情報（uplink control information：ＵＣＩ）が存在する場合、基本セルのＰＵＳＣＨで第１のタイプのＵＣＩを受信し、前記基本セルの物理アップリンク制御チャネル（physical uplink control channel：ＰＵＣＣＨ）で第２のタイプのＵＣＩを受信するステップをさらに含むことを特徴とする請求項１に記載の方法。
【請求項４】
ＰＵＳＣＨ送信が基本セルに存在する場合、前記ＰＵＳＣＨは前記基本セルと関連することを特徴とする請求項１に記載の方法。
【請求項５】
前記ＰＵＳＣＨ送信が基本セルに存在しない場合、前記ＰＵＳＣＨは最も小さなセルインデックスを有するセルと関連することを特徴とする請求項４に記載の方法。
【請求項６】
通信システムにおけるハイブリッド自動再送要求確認応答情報（automatic repeat request-acknowledgement：ＨＡＲＱ−ＡＣＫ）ビットを受信する装置であって、
ユーザ機器（user equipment：ＵＥ）に対して複数のセルを構成するように構成される制御器と、
前記ＵＥから物理アップリンク共有チャネル（physical uplink shared channel：ＰＵＳＣＨ）で前記複数のセルに対するエンコーディングされた連接ＨＡＲＱ−ＡＣＫビットを受信するように構成される送受信器と、
前記エンコーディングされた連接ＨＡＲＱ−ＡＣＫビットをデコーディングするように構成されるデコーダと、を含み、
前記複数のセルの各々は一つの送信モードに関連し、
前記複数のセルに対するＨＡＲＱ−ＡＣＫビットは、前記複数のセルの各々に対するセルインデックスの順序に基づいて連接され、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする装置。
【請求項７】
前記エンコーディングされた連接ＨＡＲＱ−ＡＣＫビットは、前記連接されたＨＡＲＱ−ＡＣＫビットの個数が３以上である場合、（３２，Ｏ）ブロックコードに基づいてデコーディングされることを特徴とする請求項６に記載の装置。
【請求項８】
相異なるタイプのアップリンク制御情報（uplink control information：ＵＣＩ）が存在する場合、前記送受信器は基本セルのＰＵＳＣＨで第１のタイプのＵＣＩを受信し、前記基本セルの物理アップリンク制御チャネル（physical uplink control channel ：ＰＵＣＣＨ）で第２のタイプのＵＣＩを受信するようにさらに構成されることを特徴とする請求項６に記載の装置。
【請求項９】
ＰＵＳＣＨ送信が基本セルに存在する場合、前記ＰＵＳＣＨは前記基本セルと関連することを特徴とする請求項６に記載の装置。
【請求項１０】
前記ＰＵＳＣＨ送信が基本セルに存在しない場合、前記ＰＵＳＣＨは最も小さなセルインデックスを有するセルと関連することを特徴とする請求項９に記載の装置。
【請求項１１】
通信システムにおけるユーザ機器（user equipment：ＵＥ）がハイブリッド自動再送要求確認応答情報（automatic repeat request-acknowledgement：ＨＡＲＱ−ＡＣＫ）ビットを送信する方法であって、
複数のセルの構成を受信するステップと、
前記複数のセルの各々に対するセルインデックスに基づいて前記複数のセルに対するＨＡＲＱ−ＡＣＫビットを連接するステップと、
前記連接されたＨＡＲＱ−ＡＣＫビットをエンコーディングするステップと、
前記エンコーディングされた連接されたＨＡＲＱ−ＡＣＫビットを物理アップリンク共有チャネル（physical uplink shared channel：ＰＵＳＣＨ）でノードＢに送信するステップと、を含み、
前記複数のセルの各々は一つの送信モードに関連し、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする方法。
【請求項１２】
前記連接されたＨＡＲＱ−ＡＣＫビットは、前記連接されたＨＡＲＱ−ＡＣＫビットの個数が３以上である場合、（３２，Ｏ）ブロックコードに基づいてエンコーディングされることを特徴とする請求項１１に記載の方法。
【請求項１３】
相異なるタイプのアップリンク制御情報（uplink control information：ＵＣＩ）が存在する場合、基本セルのＰＵＳＣＨで第１のタイプのＵＣＩを送信し、前記基本セルの物理アップリンク制御チャネル（physical uplink control channel：ＰＵＣＣＨ）で第２のタイプのＵＣＩを送信するステップをさらに含むことを特徴とする請求項１１に記載の方法。
【請求項１４】
ＰＵＳＣＨ送信が基本セルに存在する場合、前記ＰＵＳＣＨは前記基本セルと関連することを特徴とする請求項１１に記載の方法。
【請求項１５】
前記ＰＵＳＣＨ送信が基本セルに存在しない場合、前記ＰＵＳＣＨは最も小さなセルインデックスを有するセルと関連することを特徴とする請求項１４に記載の方法。
【請求項１６】
通信システムにおけるハイブリッド自動再送要求確認応答情報（automatic repeat request-acknowledgement ：ＨＡＲＱ−ＡＣＫ）ビットを送信する装置であって、
複数のセルの各々のセルインデックスの順序に基づいて、前記複数のセルに対するＨＡＲＱ−ＡＣＫビットを連接するように構成される制御器と、
前記連接されたＨＡＲＱ−ＡＣＫビットをエンコーディングするように構成されるエンコーダと、
物理アップリンク共有チャネル（physical uplink shared channel：ＰＵＳＣＨ）で前記エンコーディングされた連接されたＨＡＲＱ−ＡＣＫビットをノードＢに送信するように構成される送信器と、を含み、
前記複数のセルは前記ノードＢによって構成され、前記複数のセルの各々は一つの送信モードと関連し、
前記連接されたＨＡＲＱ−ＡＣＫビットは、最大２個のトランスポートブロックをサポートする送信モードと関連するセルに対する２個のＨＡＲＱ−ＡＣＫビットと最大一つのトランスポートブロックをサポートする送信モードと関連するセルに対する一つのＨＡＲＱ−ＡＣＫビットを含むことを特徴とする装置。
【請求項１７】
前記連接されたＨＡＲＱ−ＡＣＫビットの個数が３以上である場合、前記エンコーダは前記連接されたＨＡＲＱ−ＡＣＫビットを（３２，Ｏ）ブロックコードに基づいて、エンコーディングするように構成されることを特徴とする請求項１６に記載の装置。
【請求項１８】
相異なるタイプのアップリンク制御情報（uplink control information：ＵＣＩ）が存在する場合、前記送信器は基本セルのＰＵＳＣＨで第１のタイプのＵＣＩを送信し、前記基本セルの物理アップリンク制御チャネル（physical uplink control channel：ＰＵＣＣＨ）で第２のタイプのＵＣＩを送信するようにさらに構成されることを特徴とする請求項１６に記載の装置。
【請求項１９】
ＰＵＳＣＨ送信が基本セルに存在する場合、前記ＰＵＳＣＨは前記基本セルと関連することを特徴とする請求項１６に記載の装置。
【請求項２０】
前記ＰＵＳＣＨ送信が基本セルに存在しない場合、前記ＰＵＳＣＨは最も小さなセルインデックスを有するセルと関連することを特徴とする請求項１９に記載の装置。